(57)【特許請求の範囲】
【請求項１】
プランター本体の上面より大きな面積を有する網状パネル体を、プランター本体の上方に設けたプランターであって、プランター本体に対し網状パネル体を位置調節可能に設けると共に、プランター本体の上面に位置する網状パネル体中央部の網目の大きさを、周辺部の網目の大きさより大きくしたことを特徴とするプランター。
【請求項２】
プランター本体の上面より大きな面積を有する網状パネル体を、プランター本体の上方に設けたプランターであって、プランター本体の上面周縁部に網状パネル体取付具を設け、該網状パネル体取付具によって網状パネル体を形成する任意の線材を固定することにより、プランター本体に対し網状パネル体を位置調節可能に設けると共に、プランター本体の上面に位置する網状パネル体中央部の網目の大きさを、周辺部の網目の大きさより大きくしたことを特徴とするプランター。
【発明の詳細な説明】
【技術分野】
【０００１】
この発明は、植物を育成するプランターに関するものであり、特にビル等の屋上緑化に適したプランターに関するものである。
【背景技術】
【０００２】
近年ヒートアイランド現象の緩和、大気中の二酸化炭素削減、建物の省エネルギー及び人への癒し効果等の観点からビル等の屋上緑化が進められている。
代表的な屋上緑化の施工方法としては、緑化する区域に防水シートを敷き、さらにその上に軽量土壌を敷き、植栽を施したものが知られている。
しかしながら、前記の方法では施工作業が大掛かりとなり、緑化できるまでに長期間を要するものであった。
【０００３】
そこで、本出願人は特許文献１に示すように、プランター本体の上面に、プランター本体の上面より大きい面積を有する網状パネル体を設けたプランターを発明した。
このプランターによれば、ビル等の屋上に土壌を敷設しなくても、プランター本体に植えたアイビー、ポトス、フィカスプミラ及びフウセンカズラ等のつる植物が網状パネル体に沿って成長し、プランター本体より大きな面積を緑化できるので、少ない数のプランターで施工作業の簡便な屋上緑化方法として好適である。
【０００４】
しかしながら、植物は陽当りの良い方向に向かって成長するため、プランター本体の上面に単に網状パネル体を設けただけでは、プランター本体を中心として植物が放射状に広がらず、網状パネル体を均一に緑化することが困難なものであった。
また、網状パネル体の網目の大きさが小さければ、植物は網状パネル体とよく絡まり、網状パネル体から脱落することなく成長するが、プランター本体にスコップ等を差し込んで植物の手入れ作業をする際、小さい網目が邪魔となり、手入れが面倒なものであった。
【０００５】
【特許文献１】特開２００５−１７６８２７号公報
【発明の開示】
【発明が解決しようとする課題】
【０００６】
本発明の目的は、プランターの設置場所における日照条件に合わせて網状パネル体を適切に配置でき、網状パネル体を均一に緑化することのできるプランターを提供することにある。
【課題を解決するための手段】
【０００７】
本発明者等は、このような事情に鑑み鋭意検討を重ねた結果、プランター本体の上面より大きな面積を有する網状パネル体を、プランター本体の上方に設けたプランターであって、プランター本体に対し網状パネル体を位置調節可能に設けると共に、プランター本体の上面に位置する網状パネル体中央部の網目の大きさを、周辺部の網目の大きさより大きくしたことによって、所期の目的を達成したものである。
【０００８】
請求項２の発明に係るプランターは、プランター本体の上面より大きな面積を有する網状パネル体を、プランター本体の上方に設けたプランターであって、プランター本体の上面周縁部に網状パネル体取付具を設け、該網状パネル体取付具によって網状パネル体を形成する任意の線材を固定することにより、プランター本体に対し網状パネル体を位置調節可能に設けると共に、プランター本体の上面に位置する網状パネル体中央部の網目の大きさを、周辺部の網目の大きさより大きくしたものである。
【発明の効果】
【００１０】
本発明のプランターによれば、プランター本体に対し網状パネル体を位置調節可能に設けたので、植物が均一に網状パネルに沿って成長するよう、設置場所の日照条件に合わせて網状パネル体を適切に配置することができる。
【００１１】
また、プランター本体の上面に位置する網状パネル体中央部の網目の大きさを、周辺部の網目の大きさより大きく形成しているので、大きな網目から手を挿入して、草木の手入れを簡単に行なうことができる。
【００１２】
さらに、請求項２に記載のプランターによれば、網状パネル体を形成する任意の線材を網状パネル体取付具によってプランター本体の上面周縁部に固定したので、網状パネル体の取付並びに位置調節を簡単に行なうことができる。
【発明を実施するための最良の形態】
【００１３】
以下、本発明を実施するための最良の形態を実施例に基づき説明する。
図１乃至図５は本発明プランターの実施例であり、図中１はプランターを表わし、プランター１は、土を入れて植栽されるプランター本体２と、プランター本体２の上方に設けられる網状パネル体３と、該網状パネル体３をプランター本体２の上面に固定する網状パネル体取付具４とから構成されている。
【００１４】
プランター本体２は、軽量コンクリートにより形成し、表面に塗装を施したものであるが、ＦＲＰ等の樹脂によって形成することも可能である。
また、本実施例のプランター本体２は、四角柱形状を呈しているが、円柱または四角柱以外の多角柱形状としても構わない。
プランター本体２の上面周縁部に水平状の取付フランジ部２１を形成し、該取付フランジ部２１には透孔２２が各辺に二箇所ずつ形成し、透孔２２の穿設位置に網状パネル体取付具４が設けられている。
【００１５】
網状パネル体３は、金属製線材を溶接等により連結して形成し、平面視正方形状を呈している。縦横線材３１を格子状に連結して網目パネル３Ａを形成し、２枚の網目パネル３Ａ，３Ａを平行に配置し、２枚の網目パネル３Ａ，３Ａを斜めに配設した連結線材３２によって連結した二重金網構造を呈している。なお、網状パネル体３の一辺は１２００ｍｍ、プランター本体２の一辺は４００ｍｍである。網状パネル体３は平面視四角形状であるが、プランター本体２の平面形状に合わせて円形状、多角形状等任意の形状とすることができる。また、網状パネル体３を形成する線材３１，３２は、その表面が直射日光により高温になり、植物を傷めるのを防止する目的から、表面が樹脂等でコーティングされている。
【００１６】
網目パネル３Ａの周辺部３１Ａと中央部３２Ａの網目の大きさは異なっており、周辺部３１Ａにおける網目の大きさは１００ｍｍ×１００ｍｍ、中央部３２Ａにおける網目の大きさは２００ｍｍ×２００ｍｍとなっている。
網状パネル体取付具４は全部で８ヶ設けられており、プランター本体２の上面周縁部の各辺に２ヶずつ配置される。網状パネル体取付具４は金属製板材によって形成されており、中央に螺子部材（ボルト）５を挿通する透孔４１を形成し、一側位置には線材３１を嵌入する保持部４２が形成されている。網状パネル体３の下側に位置する網目パネル３Ａの任意の線材３１を保持部４２内に嵌合し、網状パネル体取付具４の透孔４１を挿通するボルト５を、プランター本体２に形成した取付フランジ部２１の透孔２２に挿通し、取付フランジ部２１の下側からナット６によってボルト５を締結することにより、網状パネル体３がプランター本体２に固定される。
【００１７】
なお、網状パネル体３をプランター本体２に固定する際、網状パネル体取付具４の保持部４２に嵌合する線材３１は、網目パネル３Ａの中央部３２Ａに位置する大きな網目を形成する線材３１であれば、どの位置の線材３１でも構わない。プランター本体２に対する網状パネル体３の位置は、図３に示した網状パネル体３の中心位置をプランター本体２に固定する位置から、図４に示すように縦横任意の方向に２００ｍｍの単位でずらして固定することができる。
【００１８】
以上の構成からなる本発明プランター１によれば、プランター１の設置場所における陽の射す方向とは反対側に、プランター本体２の位置をずらして網状パネル体３を取付ける。プランター本体２に植えた草木は、陽の射す方向に向かって成長するため、網状パネル体３の略全域を緑化することができる。プランター本体２の上面に位置する網目パネル３Ａ中央部３２Ａの網目の大きさが、周辺部３１Ａの網目よりも大きく形成しているので、大きな網目から手を挿入して簡単に草木の手入れを行なうことができる。
【００１９】
上記実施例において、網状パネル体３は２枚の網目パネル３Ａを平行に配設した二重金網構造としたが、１枚の網目パネル３Ａによって形成したものであっても構わない。また、網状パネル体３の一辺の大きさを１２００ｍｍ、プランター本体２の一辺の大きさを４００ｍｍとしたが、これらの大きさを任意のサイズに設定しても良い。さらに、網状パネル体取付具４も、網状パネル体３が固定できるものであれば、上記実施例に限定されることなく種々の形態のものを利用することができる。
【図面の簡単な説明】
【００２０】
【図１】本発明プランターの分解状態を表わす斜視図
【図２】本発明プランターの斜視図
【図３】本発明プランターの平面図
【図４】本発明プランターの網状パネル体をずらして固定した状態を表わす平面図
【図５】網状パネル体のプランター本体への固定状態を表わす要部拡大断面図
【符号の説明】
【００２１】
１      プランター
２      プランター本体
３      網状パネル体
４      網状パネル体取付具
２１      取付フランジ部（上面周縁部）
３１      線材
【図１】
0004794991.tif 000002
【図２】
0004794991.tif 000003
【図３】
0004794991.tif 000004
【図４】
0004794991.tif 000005
【図５】
0004794991.tif 000006